【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
物理チャンネルを選択し、選択した物理チャンネルで送信されるデジタル放送のストリームを取得するチューナ部と、
前記チューナ部で取得されるデジタル放送のストリームに含まれる番組特定情報及び番組配列情報を抽出し、前記チューナ部で取得されるデジタル放送のストリームに含まれる映像ストリーム及び音声ストリームを復号し映像信号及び音声信号を取得するストリーム処理部と、
前記ストリーム処理部より取得される映像信号及び音声信号を出力する映像音声出力部と、
デジタル放送を選局するために必要なチャンネル情報を記憶するチャンネル情報記憶部と、
前記チューナ部に対して、選択すべき物理チャンネルを指示し、前記ストリーム処理部に対して、抽出すべき番組特定情報及び番組配列情報を指示し、前記チャンネル情報記憶部よりチャンネル情報を取得し、前記チャンネル情報記憶部のチャンネル情報を更新する選局制御部と、
物理チャンネルが前記チャンネル情報記憶部に記憶されているか否かを判断する物理チャンネル記憶判断部と
を備え、
前記チューナ部は、選択した物理チャンネルの受信強度を前記選局制御部に通知し、
前記選局制御部は、前記チューナ部で物理チャンネルを選択したときの受信強度の履歴を保存し、前記受信強度の履歴より受信強度スコアを算出し、
前記選局制御部は、前記物理チャンネル記憶判断部が前記チャンネル情報記憶部に記憶されていないと判断した物理チャンネルで且つ前記受信強度スコアが所定の条件を満たす物理チャンネルについては、その物理チャンネルを前記チューナ部で選択した状態で前記ストリーム処理部により番組特定情報及び番組配列情報の少なくとも一方を抽出する抽出処理を行うことにより、抽出した情報を元に前記チャンネル情報記憶部のチャンネル情報を更新し、前記物理チャンネル記憶判断部が前記チャンネル情報記憶部に記憶されていると判断した物理チャンネル及び前記受信強度スコアが前記所定の条件を満たさない物理チャンネルについては、前記ストリーム処理部による前記抽出処理を行わないこと
を特徴とするデジタル放送受信装置。
【請求項２】
前記選局制御部は、前記チャンネル情報記憶部のチャンネル情報を更新する際、前記受信強度スコアに応じて、前記チューナ部により物理チャンネルを選択する頻度に差を付けることを特徴とする請求項１に記載のデジタル放送受信装置。
【請求項３】
前記チューナ部は、選択した物理チャンネルのフレームロック情報を取得し、前記選局制御部に通知し、
前記選局制御部は、フレームロックが検出されない物理チャンネルについては、前記ストリーム処理部による前記抽出処理を行わないことを特徴とする請求項１又は２に記載のデジタル放送受信装置。
【請求項４】
前記チューナ部は、選択した物理チャンネルの受信強度を前記選局制御部に通知し、また、選択した物理チャンネルのフレームロック情報を取得して前記選局制御部に通知し、
前記選局制御部は、
前記チューナ部から通知された受信強度が閾値未満で、かつフレームロック情報が検出されなかった物理チャンネルについて、受信不可の回数を示すカウント数を増加させ、前記カウント数が閾値を超えた場合に、当該物理チャンネルのチャンネル情報を前記チャンネル情報記憶部から削除することを特徴とする請求項１から３までのいずれか１項に記載のデジタル放送受信装置。
【請求項５】
位置情報を取得する位置情報取得部をさらに備え、
前記選局制御部は、
スキャンを開始するときに、前記位置情報取得部により位置情報を取得し、
選択した物理チャンネルが前記チャンネル情報記憶部に記憶されている場合であっても、前回のスキャンを開始したときの位置と今回のスキャンを開始したときの位置との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１から４までのいずれか１項に記載のデジタル放送受信装置。
【請求項６】
位置情報を取得する位置情報取得部をさらに備え、
前記選局制御部は、
物理チャンネルを選択する毎に、前記位置情報取得部により位置情報を取得し、
物理チャンネルが前記チャンネル情報記憶部に記憶されている場合であっても、当該物理チャンネルを選択したときに取得した位置情報と前回のスキャンで同一の物理チャンネルを選択したときの位置との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１から４までのいずれか１項に記載のデジタル放送受信装置。
【請求項７】
車両の走行距離を計測する走行距離計をさらに備え、
前記選局制御部は、
スキャンを開始するときに、前記走行距離計により走行距離を取得し、
選択した物理チャンネルが前記チャンネル情報記憶部に記憶されている場合であっても、前回のスキャンを開始したときの走行距離と今回のスキャンを開始したときの走行距離との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１から４までのいずれか１項に記載のデジタル放送受信装置。
【請求項８】
車両の走行距離を計測する走行距離計をさらに備え、
前記選局制御部は、
物理チャンネルを選択する毎に、前記走行距離計により走行距離を取得し、
選択した物理チャンネルが前記チャンネル情報記憶部に記憶されている場合であっても、当該物理チャンネルを選択したときの走行距離と前回のスキャンで同一の物理チャンネルを選択したときの走行距離との差が閾値以上の場合には、その選択した物理チャンネルを前記チューナ部で選択した状態で前記ストリーム処理部により前記抽出処理を行い、前記チャンネル情報記憶部のチャンネル情報を更新することを特徴とする請求項１から４までのいずれか１項に記載のデジタル放送受信装置。
【請求項９】
時刻を管理する時刻管理部をさらに備え、
前記選局制御部は、
スキャンを開始するときに、前記時刻管理部により時刻情報を取得し、
選択した物理チャンネルが前記チャンネル情報記憶部に記憶されている場合であっても、前回のスキャンを開始したときの時刻と今回のスキャンを開始したときの時刻との差が閾値以上の場合には、その物理チャンネルを前記チューナで選択した状態で前記ストリーム処理部により前記抽出処理を行い、前記チャンネル情報記憶部のチャンネル情報を更新することを特徴とする請求項１から４までのいずれか１項に記載のデジタル放送受信装置。
【請求項１０】
現在の時刻を管理する時刻管理部をさらに備え、
前記選局制御部は、
物理チャンネルを選択する毎に時刻情報を取得し、
選択した物理チャンネルが前記チャンネル情報記憶部に記憶されている場合であっても、物理チャンネルを選択したときの時刻と前回のスキャンで同一の物理チャンネルを選択したときの時刻との差が閾値以上の場合に、その物理チャンネルを前記チューナ部で選択した状態で前記ストリーム処理部により前記抽出処理を行い、前記チャンネル情報記憶部のチャンネル情報を更新することを特徴とする請求項１から４までのいずれか１項に記載のデジタル放送受信装置。
【請求項１１】
前記チューナ部を、第１のチューナ部とすると共に、
物理チャンネルを選択し、選択した物理チャンネルで送信されるデジタル放送のストリームを取得する第２のチューナ部と、前記第２のチューナ部で取得されるデジタル放送のストリームに含まれる番組特定情報及び番組配列情報を抽出するデマルチプレクス部とをさらに備え、
前記選局制御部は、前記第２のチューナ部及び前記でマルチプレクス部及び前記映像音声出力部を用いてデジタル放送の映像及び音声を出力しながら、前記第１のチューナ部及び前記ストリーム処理部を用いて前記チャンネル情報記憶部のチャンネル情報の更新を行うことを特徴とする請求項１から１０までのいずれか１項に記載のデジタル放送受信装置。
【請求項１２】
物理チャンネルを選択し、選択した物理チャンネルで送信されるデジタル放送のストリームを取得するチューナ部と、
前記チューナ部で取得されるデジタル放送のストリームに含まれる番組特定情報及び番組配列情報を抽出し、前記チューナ部で取得されるデジタル放送のストリームに含まれる映像ストリーム及び音声ストリームを復号し映像信号及び音声信号を取得するストリーム処理部と、
前記ストリーム処理部より取得される映像信号及び音声信号を出力する映像音声出力部と、
デジタル放送を選局するために必要なチャンネル情報を記憶するチャンネル情報記憶部と、
前記チューナ部に対して、選択すべき物理チャンネルを指示し、前記ストリーム処理部に対して、抽出すべき番組特定情報及び番組配列情報を指示し、前記チャンネル情報記憶部よりチャンネル情報を取得し、前記チャンネル情報記憶部のチャンネル情報を更新する選局制御部と
を用いるデジタル放送受信方法であって、
前記チューナ部は、選択した物理チャンネルの受信強度を前記選局制御部に通知し、
物理チャンネルが前記チャンネル情報記憶部に記憶されているか否かを判断する物理チャンネル記憶判断ステップと、
前記チューナ部で物理チャンネルを選択したときの受信強度の履歴を保存し、前記受信強度の履歴より受信強度スコアを算出するステップと、
前記物理チャンネル記憶判断ステップにおいて前記チャンネル情報記憶部に記憶されていないと判断した物理チャンネルで且つ前記受信強度スコアが所定の条件を満たす物理チャンネルについては、その物理チャンネルを前記チューナ部で選択した状態で前記ストリーム処理部により番組特定情報及び番組配列情報の少なくとも一方を抽出する抽出処理を行うことにより、抽出した情報を元に、前記チャンネル情報記憶部のチャンネル情報を更新し、前記チャンネル情報記憶部に記憶されていると判断した物理チャンネル及び前記受信強度スコアが前記所定の条件を満たさない物理チャンネルについては、前記ストリーム処理部による前記抽出処理を行わない、チャンネル情報更新ステップと
を有することを特徴とするデジタル放送受信方法。
【請求項１３】
前記チャンネル情報更新ステップでは、前記受信強度スコアに応じて、前記チューナ部で物理チャンネルを選択する頻度に差を付けることを特徴とする請求項１２に記載のデジタル放送受信方法。
【請求項１４】
前記チューナ部は、選択した物理チャンネルのフレームロック情報を取得し、前記選局制御部に通知し、
前記チャンネル情報更新ステップでは、前記チューナ部でフレームロックが検出されない物理チャンネルについては、前記ストリーム処理部による前記抽出処理を行わないことを特徴とする請求項１２又は１３に記載のデジタル放送受信方法。
【請求項１５】
前記チューナ部は、選択した物理チャンネルの受信強度を前記選局制御部に通知し、また、選択した物理チャンネルのフレームロック情報を取得して前記選局制御部に通知し、
前記チャンネル情報更新ステップでは、
選択した物理チャンネルの受信強度が閾値未満の場合、及びフレームロックを検出しなかった場合に、受信不可の回数を示すカウント数を増加させ、前記カウント数が閾値を超えた場合に、選択した物理チャンネルのチャンネル情報をチャンネル情報記憶部から削除することを特徴とする請求項１２から１４までのいずれか１項に記載のデジタル放送受信方法。
【請求項１６】
位置情報を取得する位置情報取得部を用い、
前記チャンネル情報更新ステップでは、
スキャンを開始するときに、前記位置情報取得部により位置情報を取得し、
前記チャンネル情報更新ステップでは、選択した物理チャンネルが前記チャンネル情報記憶部に記憶されている場合であっても、前回のスキャンを開始したときの位置情報と今回のスキャンを開始したときの位置情報との差が閾値以上の場合には、その物理チャンネルを前記チューナ部で選択した状態で前記ストリーム処理部により前記抽出処理を行い、前記チャンネル情報を更新することを特徴とする請求項１２から１５までのいずれか１項に記載のデジタル放送受信方法。
【請求項１７】
位置情報を取得する位置情報取得部を用い、
前記チャンネル情報更新ステップでは、
前記チューナ部で物理チャンネルを選択する毎に、前記位置情報取得部により位置情報を取得し、
前記チャンネル情報更新ステップでは、選択した物理チャンネルが前記チャンネル情報記憶部に記憶されている場合であっても、当該物理チャンネルを選択したときに取得した位置情報と、前回のスキャンで同一の物理チャンネルを選択したときの位置情報との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１２から１５までのいずれか１項に記載のデジタル放送受信方法。
【請求項１８】
車両の走行距離を計測する走行距離計を用い、
前記チャンネル情報更新ステップでは、
スキャンを開始するときに、前記走行距離計により走行距離を取得し、
選択した物理チャンネルが前記チャンネル情報記憶部に記憶されている場合であっても、前回のスキャンを開始したときの走行距離と今回のスキャンを開始したときの走行距離との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１２から１５までのいずれか１項に記載のデジタル放送受信方法。
【請求項１９】
車両の走行距離を計測する走行距離計を用い、
前記チャンネル情報更新ステップでは、物理チャンネルを選択する毎に、前記走行距離計により走行距離を取得し、
選択した物理チャンネルが前記チャンネル情報記憶部に記憶されている場合であっても、物理チャンネルを選択したときの走行距離と前回のスキャンで同一の物理チャンネルを選択したときの走行距離との差が閾値以上の場合には、その選択した物理チャンネルを前記チューナ部で選択した状態で前記ストリーム処理部により前記抽出処理を行い、前記チャンネル情報記憶部のチャンネル情報を更新することを特徴とする請求項１２から１５までのいずれか１項に記載のデジタル放送受信方法。
【請求項２０】
時刻を管理する時刻管理部を用い、
前記チャンネル情報更新ステップでは、スキャンを開始するときに、前記時刻管理部により時刻情報を取得し、
選択した物理チャンネルが前記チャンネル情報記憶部に記憶されている場合であっても、前回のスキャンを開始したときの時刻と、今回のスキャンを開始したときの時刻との差が閾値以上の場合に、その物理チャンネルを前記チューナ部で選択した状態で前記ストリーム処理部により前記抽出処理を行い、前記チャンネル情報記憶部のチャンネル情報を更新することを特徴とする請求項１２から１５までのいずれか１項に記載のデジタル放送受信方法。
【請求項２１】
時刻を管理する時刻管理部を用い、
前記チャンネル情報更新ステップでは、前記チューナ部で物理チャンネルを選択する毎に時刻情報を取得し、
選択した物理チャンネルが前記チャンネル情報記憶部に記憶されている場合であっても、物理チャンネルを選択したときに取得した時刻と、前回のスキャンで同一の物理チャンネルを選択したときの時刻との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１２から１５までのいずれか１項に記載のデジタル放送受信方法。
【請求項２２】
前記チューナ部を、第１のチューナ部とすると共に、
物理チャンネルを選択し、選択した物理チャンネルで送信されるデジタル放送のストリームを取得する第２のチューナ部と、前記第２のチューナ部で取得されるデジタル放送のストリームに含まれる番組特定情報及び番組配列情報を抽出するデマルチプレクス部とをさらに用い、
前記第２のチューナ部及び前記でマルチプレクス部及び前記映像音声出力部を用いてデジタル放送の映像及び音声を出力しながら、前記第１のチューナ部及び前記ストリーム処理部を用いて前記チャンネル情報記憶部のチャンネル情報の更新を行うことを特徴とする請求項１２から２１までのいずれか１項に記載のデジタル放送受信方法。
【手続補正２】
【補正対象書類名】明細書
【補正対象項目名】００１２
【補正方法】変更
【補正の内容】
【００１２】
本発明に係るデジタル放送受信装置は、
物理チャンネルを選択し、選択した物理チャンネルで送信されるデジタル放送のストリームを取得するチューナ部と、
前記チューナ部で取得されるデジタル放送のストリームに含まれる番組特定情報及び番組配列情報を抽出し、前記チューナ部で取得されるデジタル放送のストリームに含まれる映像ストリーム及び音声ストリームを復号し映像信号及び音声信号を取得するストリーム処理部と、
前記ストリーム処理部より取得される映像信号及び音声信号を出力する映像音声出力部と、
デジタル放送を選局するために必要なチャンネル情報を記憶するチャンネル情報記憶部と、
前記チューナ部に対して、選択すべき物理チャンネルを指示し、前記ストリーム処理部に対して、抽出すべき番組特定情報及び番組配列情報を指示し、前記チャンネル情報記憶部よりチャンネル情報を取得し、前記チャンネル情報記憶部のチャンネル情報を更新する選局制御部と、
物理チャンネルが前記チャンネル情報記憶部に記憶されているか否かを判断する物理チャンネル記憶判断部と
を備え、
前記チューナ部は、選択した物理チャンネルの受信強度を前記選局制御部に通知し、
前記選局制御部は、前記チューナ部で物理チャンネルを選択したときの受信強度の履歴を保存し、前記受信強度の履歴より受信強度スコアを算出し、
前記選局制御部は、
前記物理チャンネル記憶判断部が前記チャンネル情報記憶部に記憶されていないと判断した物理チャンネルで且つ前記受信強度スコアが所定の条件を満たす物理チャンネルについては、その物理チャンネルを前記チューナ部で選択した状態で前記ストリーム処理部により番組特定情報及び番組配列情報の少なくとも一方を抽出する抽出処理を行うことにより、抽出した情報を元に前記チャンネル情報記憶部のチャンネル情報を更新し、前記物理チャンネル記憶判断部が前記チャンネル情報記憶部に記憶されていると判断した物理チャンネル及び前記受信強度スコアが前記所定の条件を満たさない物理チャンネルについては、前記ストリーム処理部による前記抽出処理を行わないこと
を特徴とする。